(57)【要約】      （修正有）【課題】制御が容易で低コストのクライアント／サーバインテリジェント電化製品制御システムを提供する。【解決手段】制御システムは、第１の第一型制御装置及び第２の第一型制御装置を含む。第１の第一型制御装置１１は、第２の第一型制御装置に電気的に接続される。第１の制御信号は、第１のＢｌｕｅｔｏｏｔｈ赤外線制御モジュールから送信されて、第１の第一型制御装置の第３のサーバ端シーケンス制御モジュール１１４及び第１のメインチャンネルシーケンス制御モジュール１１１を通して、ゲートウェイ装置に伝送される。第２の制御信号は、第２のＢｌｕｅｔｏｏｔｈ赤外線制御モジュールから送信されて第２の第一型制御装置の第３のサーバ端シーケンス制御モジュール及び第２のメインチャンネルシーケンス制御モジュールを通して、ゲートウェイ装置に伝送される。【選択図】図２
0003223006.tif 000002
【実用新案登録請求の範囲】
【請求項１】
第１の処理モジュール、第１のメインチャンネルシーケンス制御モジュール、第１のサーバ端シーケンス制御モジュール、第２のサーバ端シーケンス制御モジュール、及び第３のサーバ端シーケンス制御モジュールを含み、ゲートウェイ装置に接続される第１の第一型制御装置と、
第２の処理モジュール、第２のメインチャンネルシーケンス制御モジュール、第１のサーバ端シーケンス制御モジュール、第２のサーバ端シーケンス制御モジュール、及び第３のサーバ端シーケンス制御モジュールを含み、前記ゲートウェイ装置に接続される第２の第一型制御装置と、を備える
クライアントサーバインテリジェント電化製品制御システムであって、
前記第１の第一型制御装置における前記第１のメインチャンネルシーケンス制御モジュール、前記第１のサーバ端シーケンス制御モジュール、前記第２のサーバ端シーケンス制御モジュール、及び前記第３のサーバ端シーケンス制御モジュールは、前記第１の処理モジュールに電気的に接続され、
前記第２の第一型制御装置における前記第２のメインチャンネルシーケンス制御モジュール、前記第１のサーバ端シーケンス制御モジュール、前記第２のサーバ端シーケンス制御モジュール、及び前記第３のサーバ端シーケンス制御モジュールは、前記第２の処理モジュールに電気的に接続され、
前記第１の第一型制御装置における前記第２のサーバ端シーケンス制御モジュールは、前記第２の第一型制御装置における前記第１のサーバ端シーケンス制御モジュールに電気的に接続され、
前記第１の第一型制御装置における前記第３のサーバ端シーケンス制御モジュールは、第１のＢｌｕｅｔｏｏｔｈ赤外線制御モジュールに電気的に接続され、前記第２の第一型制御装置における前記第３のサーバ端シーケンス制御モジュールは、第２のＢｌｕｅｔｏｏｔｈ赤外線制御モジュールに電気的に接続され、
前記第１のＢｌｕｅｔｏｏｔｈ赤外線制御モジュールから送信された第１の制御信号は、前記第１の第一型制御装置における前記第３のサーバ端シーケンス制御モジュール及び前記第１のメインチャンネルシーケンス制御モジュールを通して、前記ゲートウェイ装置に伝送され、
前記第２のＢｌｕｅｔｏｏｔｈ赤外線制御モジュールから送信された第２の制御信号は、前記第２の第一型制御装置における前記第３のサーバ端シーケンス制御モジュール及び前記第２のメインチャンネルシーケンス制御モジュールを通して、前記ゲートウェイ装置に伝送される、ことを特徴とする、クライアントサーバインテリジェント電化製品制御システム。
【請求項２】
前記第１の処理モジュールは、第１の汎用非同期送受信要素によって前記第１のメインチャンネルシーケンス制御モジュールに電気的に接続され、前記第１の処理モジュールは、第２の汎用非同期送受信要素によって前記第１のサーバ端シーケンス制御モジュール及び前記第２のサーバ端シーケンス制御モジュールに電気的に接続され、前記第１の処理モジュールは、第３の汎用非同期送受信要素によって前記第３のサーバ端シーケンス制御モジュールに電気的に接続される、請求項１に記載のクライアントサーバインテリジェント電化製品制御システム。
【請求項３】
前記クライアントサーバインテリジェント電化製品制御システムは、
第１のサーバ端処理モジュール、第１のサーバ端シーケンス制御モジュール、及び第２のサーバ端シーケンス制御モジュールを含む第１の第二型制御装置と、
第２のサーバ端処理モジュール、第１のサーバ端シーケンス制御モジュール、及び第２のサーバ端シーケンス制御モジュールを含む第２の第二型制御装置と、をさらに備え、
前記第１の第二型制御装置における前記第１のサーバ端シーケンス制御モジュール及び前記第２のサーバ端シーケンス制御モジュールは、前記第１の第二型制御装置における前記第１のサーバ端処理モジュールに電気的に接続され、前記第１の第二型制御装置における前記第１のサーバ端シーケンス制御モジュールは、前記第１のメインチャンネルシーケンス制御モジュールに電気的に接続され、
前記第２の第二型制御装置における前記第１のサーバ端シーケンス制御モジュール及び前記第２のサーバ端シーケンス制御モジュールは、前記第２の第二型制御装置における前記第２のサーバ端処理モジュールに電気的に接続され、前記第１の第二型制御装置における前記第１のサーバ端シーケンス制御モジュールは、前記第２のメインチャンネルシーケンス制御モジュールに電気的に接続され、
前記第１の第二型制御装置における前記第１のサーバ端シーケンス制御モジュール及び前記第２のサーバ端シーケンス制御モジュールはそれぞれ複数の第１の発光ダイオードランプモジュールに電気的に接続され、
前記第２の第二型制御装置における前記第１のサーバ端シーケンス制御モジュール及び前記第２のサーバ端シーケンス制御モジュールはそれぞれ複数の第２の発光ダイオードランプモジュールに電気的に接続される、請求項１に記載のクライアントサーバインテリジェント電化製品制御システム。
【請求項４】
前記第３のサーバ端シーケンス制御モジュールは、少なくとも１つの第１のセンサーと電気的に接続され、前記第６のサーバ端シーケンス制御モジュールは、少なくとも１つの第２のセンサーと電気的に接続される、請求項１に記載のクライアントサーバインテリジェント電化製品制御システム。
【請求項５】
前記第１の第一型制御装置及び前記第２の第一型制御装置はそれぞれ、複数の電源・信号コネクタを含み、電源・信号コネクタのそれぞれは、電源と電気的に接続される、請求項１に記載のクライアントサーバインテリジェント電化製品制御システム。
【請求項６】
前記電源・信号コネクタのそれぞれは、パルス幅変調信号端子、電源端子、アース端子、過電流保護端子、及びシーケンス制御スイッチ端子を含む、請求項５に記載のクライアントサーバインテリジェント電化製品制御システム。
【考案の詳細な説明】
【技術分野】
【０００１】
本考案は、電化製品制御システムに関し、特にクライアントサーバインテリジェント電化製品制御システムに関する。
【背景技術】
【０００２】
多くの電気制御システムは、リピータとして多数の同一の制御装置を必要とするため、コストがかなり高価となる。
【０００３】
そのため、制御が容易で低コストの電気制御システムを提供することは業界で重要な課題となっている。
【考案の概要】
【考案が解決しようとする課題】
【０００４】
本考案が解決しようとする課題の１つとしては、既存技術の不足に対して、クライアントサーバインテリジェント電化製品制御システムを提供する。
【課題を解決するための手段】
【０００５】
上記の技術的課題を解決するために、本考案に、第１の第一型制御装置、及び第２の第一型制御装置を含むクライアントサーバインテリジェント電化製品制御システムを提供する方法が採用される。本考案によるクライアントサーバインテリジェント電化製品制御システムは、第１の第一型制御装置、及び第２の第一型制御装置を含む。前記第１の第一型制御装置は、ゲートウェイ装置に接続され、第１の処理モジュール、第１のメインチャンネルシーケンス制御モジュール、第１のサーバ端シーケンス制御モジュール、第２のサーバ端シーケンス制御モジュール、及び第３のサーバ端シーケンス制御モジュールを含む。なかでも、前記第１のメインチャンネルシーケンス制御モジュール、前記第１のサーバ端シーケンス制御モジュール、前記第２のサーバ端シーケンス制御モジュール、及び前記第３のサーバ端シーケンス制御モジュールは、前記第１の処理モジュールに電気的に接続される。前記第２の第一型制御装置は、前記ゲートウェイ装置に接続され、第２の処理モジュール、第２のメインチャンネルシーケンス制御モジュール、第１のサーバ端シーケンス制御モジュール、第２のサーバ端シーケンス制御モジュール、及び第３のサーバ端シーケンス制御モジュールを含む。なかでも、前記第２の第一型制御装置における前記第２のメインチャンネルシーケンス制御モジュール、前記第１のサーバ端シーケンス制御モジュール、前記第２のサーバ端シーケンス制御モジュール、及び前記第３のサーバ端シーケンス制御モジュールは、前記第２の処理モジュールに電気的に接続される。なかでも、前記第１の第一型制御装置における前記第２のサーバ端シーケンス制御モジュールは、前記第２の第一型制御装置における前記第１のサーバ端シーケンス制御モジュールに電気的に接続される。なかでも、前記第１の第一型制御装置における前記第３のサーバ端シーケンス制御モジュールは、第１のＢｌｕｅｔｏｏｔｈ（登録商標）赤外線制御モジュールに電気的に接続され、前記第２の第一型制御装置における前記第３のサーバ端シーケンス制御モジュールは、第２のＢｌｕｅｔｏｏｔｈ赤外線制御モジュールに電気的に接続される。前記第１のＢｌｕｅｔｏｏｔｈ赤外線制御モジュールから送信された第１の制御信号は、前記第１の第一型制御装置における前記第３のサーバ端シーケンス制御モジュール及び前記第１のメインチャンネルシーケンス制御モジュールを通して、前記ゲートウェイ装置に伝送される。前記第２のＢｌｕｅｔｏｏｔｈ赤外線制御モジュールから送信された第２の制御信号は、前記第２の第一型制御装置における前記第３のサーバ端シーケンス制御モジュール及び前記第２のメインチャンネルシーケンス制御モジュールを通して、前記ゲートウェイ装置に伝送される。
【考案の効果】
【０００６】
本考案による有益な効果の１つとしては、本実施形態によるクライアントサーバインテリジェント電化製品制御システムでは、第一型制御装置によって主信号の伝送を行って、それにより、第二型制御装置の材料コストなどについて省略することができる。さらに、第一型制御装置のモジュールレイアウトを簡潔な設計としたことにより、クライアントサーバインテリジェント電化製品制御システムの実装に対して、美観性又はデザインの自由さをさらに高めることができる。
【図面の簡単な説明】
【０００７】
【図１Ａ】本考案の実施形態によるクライアントサーバインテリジェント電化製品制御システムを示す模式図である。
【図１Ｂ】本考案の実施形態によるクライアントサーバインテリジェント電化製品制御システムを示す模式図である。
【図１Ｃ】本考案の実施形態によるクライアントサーバインテリジェント電化製品制御システムを示す模式図である。
【図２】本考案の実施形態による第１の第一型制御装置を示す模式図である。
【図３】本考案の実施形態による第１の第一型制御装置が第２の第一型制御装置に電気的に接続される状態を示す模式図である。
【考案を実施するための形態】
【０００８】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【０００９】
下記より、具体的な実施例で本考案が開示する「クライアントサーバインテリジェント電化製品制御システム」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１０】
なお、本明細書において「第１」、「第２」、「第３」等の用語で各種の部品又は信号を説明する可能性があるが、これらの部品又は信号はこれらの用語によって制限されるものではない。これらの用語は、主として一つの部品と別の部品、又は一つの信号と別の信号を区分するためのものであることが理解されたい。また、本明細書に用いられる「又は」という用語は、実際の状況に応じて、関連する項目中の何れか一つ又は複数の組合せを含み得る。そして、本考案におけるＢｌｕｅｔｏｏｔｈは、登録商標である。
【００１１】
図１Ａ、図１Ｂ、図１Ｃ、及び図２を参照する。図１Ａ、図１Ｂ、及び図１Ｃは、本考案の実施形態によるクライアントサーバインテリジェント電化製品制御システムを示す模式図である。図１Ａ、図１Ｂ、及び図１Ｃはそれぞれ、１つのクライアントサーバインテリジェント電化製品制御システムを分割して示す図である。以下の説明では、図１Ａ、図１Ｂ、及び図１Ｃをまとめて、図１と呼ぶ。
【００１２】
図１は、本考案の実施形態によるクライアントサーバインテリジェント電化製品制御システムを示す模式図である。図２は、本考案の実施形態による第１の第一型制御装置を示す模式図である。図２は、第１の第一型制御装置１１のみについて記載し、第一型制御装置における他の構成及び機能では第１の第一型制御装置１１と同様であるため、記載を繰り返さない。
【００１３】
本実施形態において、クライアントサーバインテリジェント電化製品制御システム１は、第１の第一型制御装置１１、第２の第一型制御装置１２、第３の第一型制御装置１３、第４の第一型制御装置１４、及び第５の第一型制御装置１５を含む。第１の第一型制御装置１１は、第１の第二型制御装置２１に電気的に接続される。第１の第二型制御装置２１は、第３の第二型制御装置２３に電気的に接続される。第３の第二型制御装置２３は、第５の第二型制御装置２５に電気的に接続される。
【００１４】
第２の第一型制御装置１２は、第２の第二型制御装置２２に電気的に接続される。第２の第二型制御装置２２は、第４の第二型制御装置２４に電気的に接続される。第４の第二型制御装置２４は、第６の第二型制御装置２６に電気的に接続される。
【００１５】
第３の第一型制御装置１３は、第７の第二型制御装置２７に電気的に接続される。第７の第二型制御装置２７は、第８の第二型制御装置２８に電気的に接続される。第８の第二型制御装置２８は、第９の第二型制御装置２９に電気的に接続される。
【００１６】
本実施形態において、第４の第一型制御装置１４及び第５の第一型制御装置１５は、第二型制御装置に電気的に接続されていない。即ち、第一型制御装置のそれぞれは、０個又は１つ以上の第二型制御装置に電気的に接続される。第一型制御装置のそれぞれは、実際のニーズに応じて、何れの第二型制御装置にも電気的に接続されなくでもよいし、１つ又は複数の第二型制御装置に電気的に接続されてもよいし、本考案にはそれを制限されない。
【００１７】
本実施形態において、第１の第一型制御装置１１は、第１の処理モジュール１１０、第１のメインチャンネルシーケンス制御モジュール１１１、第１のサーバ端シーケンス制御モジュール１１２、第２のサーバ端シーケンス制御モジュール１１３、及び第３のサーバ端シーケンス制御モジュール１１４を含む。第２の第一型制御装置１２は、第２の処理モジュール（図示しない）、第２のメインチャンネルシーケンス制御モジュール１２１、第１のサーバ端シーケンス制御モジュール１２２、第２のサーバ端シーケンス制御モジュール１２３、及び第３のサーバ端シーケンス制御モジュール１２４を含む。第３の第一型制御装置１３は、第３の処理モジュール（図示しない）、第１のメインチャンネルシーケンス制御モジュール１３１、第１のサーバ端シーケンス制御モジュール１３２、第２のサーバ端シーケンス制御モジュール１３３、及び第３のサーバ端シーケンス制御モジュール１３４を含む。第４の第一型制御装置１４は、第４の処理モジュール（図示しない）、第１のメインチャンネルシーケンス制御モジュール１１１、第１のサーバ端シーケンス制御モジュール１１２、第２のサーバ端シーケンス制御モジュール１１３、及び第３のサーバ端シーケンス制御モジュール１１４を含む。第５の第一型制御装置１５は、第５の処理モジュール（図示しない）、第１のメインチャンネルシーケンス制御モジュール１５１、第１のサーバ端シーケンス制御モジュール１５２、第２のサーバ端シーケンス制御モジュール１５３、及び第３のサーバ端シーケンス制御モジュール１５４を含む。
【００１８】
即ち、第一型制御装置は、処理モジュール、メインチャンネルシーケンス制御モジュール、及び３つのサーバ端シーケンス制御モジュールを備える。
【００１９】
また、本実施形態において、第二型制御装置は、サーバ端処理モジュール、及び２つのサーバ端シーケンス制御モジュールを備える。
【００２０】
即ち、第１の第二型制御装置２１は、第１のサーバ端処理モジュール（図示しない）、第１のサーバ端シーケンス制御モジュール２１１、及び第２のサーバ端シーケンス制御モジュール２１２を含む。第１の第二型制御装置２１における第１のサーバ端シーケンス制御モジュール２１１及び第２のサーバ端シーケンス制御モジュール２１２は、第１の第二型制御装置２１における第１のサーバ端処理モジュール（図示しない）に電気的に接続される。第１の第二型制御装置２１における第１のサーバ端シーケンス制御モジュール２１１は、第１の第一型制御装置１１における第１のメインチャンネルシーケンス制御モジュール１１２に電気的に接続される。
【００２１】
同様に、第２の第二型制御装置２２は、第２のサーバ端処理モジュール（図示しない）、第１のサーバ端シーケンス制御モジュール２２１、及び第２のサーバ端シーケンス制御モジュール２２２を含む。第２の第二型制御装置２２における第１のサーバ端シーケンス制御モジュール２２１及び第２のサーバ端シーケンス制御モジュール２２２は、第２の第二型制御装置２２における第１のサーバ端処理モジュール（図示しない）に電気的に接続される。第２の第二型制御装置２２における第１のサーバ端シーケンス制御モジュール２２１は、第２の第一型制御装置１２における第２のメインチャンネルシーケンス制御モジュール１２２に電気的に接続される。第３の第二型制御装置２３乃至第９の第二型制御装置２９はそれぞれ、第１のサーバ端シーケンス制御モジュール２３１〜２９１、及び第２のサーバ端シーケンス制御モジュール２３２〜２９２を含む。
【００２２】
本実施形態において、第一型制御装置及び第２のタイプ制御装置の数量は、実際のニーズに応じて調整することができ、本考案はそれに制限されない。
【００２３】
本実施形態において、第１の第一型制御装置１１における第２のサーバ端シーケンス制御モジュール１１３は、第２の第一型制御装置１２における第１のサーバ端シーケンス制御モジュール１１２に電気的に接続される。第２の第一型制御装置１２における第２のサーバ端シーケンス制御モジュール１２３は、第３の第一型制御装置１３における第１のサーバ端シーケンス制御モジュール１３２に電気的に接続される。第３の第一型制御装置１３における第２のサーバ端シーケンス制御モジュール１３３は、第４の第一型制御装置１４における第１のサーバ端シーケンス制御モジュール１４２に電気的に接続される。第４の第一型制御装置１４における第２のサーバ端シーケンス制御モジュール１４３は、第５の第一型制御装置１５における第１のサーバ端シーケンス制御モジュール１５２に電気的に接続される。
【００２４】
本実施形態において、第１の第一型制御装置１１における第３のサーバ端シーケンス制御モジュール１１４は、第１のＢｌｕｅｔｏｏｔｈ赤外線制御モジュール３１に電気的に接続され、第２の第一型制御装置１２における第３のサーバ端シーケンス制御モジュール１２４は、第２のＢｌｕｅｔｏｏｔｈ赤外線制御モジュール３２に電気的に接続される。第１のＢｌｕｅｔｏｏｔｈ赤外線制御モジュール３１から送信された第１の制御信号は、第１の第一型制御装置１１における第３のサーバ端シーケンス制御モジュール１１４及び第１のメインチャンネルシーケンス制御モジュール１１２を通して、ゲートウェイ装置２に伝送される。第２のＢｌｕｅｔｏｏｔｈ赤外線制御モジュール３２から送信された第２の制御信号は、第２の第一型制御装置１２における第３のサーバ端シーケンス制御モジュール１２４及び第２のメインチャンネルシーケンス制御モジュール１２１を通して、ゲートウェイ装置２に伝送される。
【００２５】
本実施形態において、複数のランプモジュール及び電化製品についての調整、運転入り切りなどを制御するために、使用者は、移動装置によって制御信号をサーバー９に送信し、サーバー９は、制御信号をゲートウェイ装置２に伝送する。また、使用者は、サーバーを介して、クライアントサーバインテリジェント電化製品制御システム１に接続されたランプモジュール、電化製品、及びセンサーのそれぞれについての具体的な状況をモニターすることができる。
【００２６】
図２及び図３を参照する。図３は、本考案の実施形態に係る第１の第一型制御装置が第２の第一型制御装置に電気的に接続される状況を示す模式図である。
【００２７】
本実施形態において、第１の処理モジュール１１０は、第１の汎用非同期送受信要素１１０−１によって第１のメインチャンネルシーケンス制御モジュール１１１に電気的に接続される。第１の処理モジュール１１０は、第２の汎用非同期送受信要素１１０−２によって第１のサーバ端シーケンス制御モジュール１１２及び第２のサーバ端シーケンス制御モジュール１１３に電気的に接続される。第１の処理モジュール１１０は、第３の汎用非同期送受信要素１１０−３によって第３のサーバ端シーケンス制御モジュール１１４に電気的に接続される。
【００２８】
本実施形態において、第１の第二型制御装置２１における第１のサーバ端シーケンス制御モジュール２１１及び第２のサーバ端シーケンス制御モジュール２１２はそれぞれ複数の第１の発光ダイオードランプモジュール５１に電気的に接続される。第２の第二型制御装置２２における第１のサーバ端シーケンス制御モジュール２２１及び第２のサーバ端シーケンス制御モジュール２２２はそれぞれ複数の第２の発光ダイオードランプモジュール５２に電気的に接続される。
【００２９】
本実施形態において、第１の第一型制御装置１１における第３のサーバ端シーケンス制御モジュール１１４は、少なくとも１つの第１のセンサー７１に電気的に接続される。第２の第一型制御装置１２における第３のサーバ端シーケンス制御モジュール１２４は、少なくとも１つの第２のセンサー７２に電気的に接続される。
【００３０】
本実施形態において、第１の第一型制御装置１１における第３のサーバ端シーケンス制御モジュール１１４は、第１のＢｌｕｅｔｏｏｔｈ赤外線制御モジュール６１にさらに電気的に接続されてもよい。第２の第一型制御装置１２における第３のサーバ端シーケンス制御モジュール１２４は、第２のＢｌｕｅｔｏｏｔｈ赤外線制御モジュール６２に電気的に接続されてもよい。
【００３１】
本実施形態において、第１のセンサー７１、第２のセンサー７２、第１のＢｌｕｅｔｏｏｔｈ赤外線制御モジュール６１、及び第２のＢｌｕｅｔｏｏｔｈ赤外線制御モジュール６２からの信号は、それぞれ第１の第一型制御装置１１における第１のメインチャンネルシーケンス制御モジュール１１１、又は第２の第一型制御装置１２の第２のメインチャンネルシーケンス制御モジュール１２１を通して、伝送される。本実施形態において、第１のセンサー７１、及び第２のセンサー７２は、温度センサー、湿度センサー、輝度センサー、または空気品質センサーなど、いずれとしてもよいが、本考案はそれに制限されない。
【００３２】
本実施形態において、ゲートウェイ装置２は、サーバー９に通信できるように接続される。詳しく言えば、本実施形態によるクライアントサーバインテリジェント電化製品制御システム１に接続されるランプ装置、センサー、及び電化製品に関連するメッセージを受信又はそれらの制御を行うために、使用者は、ネットワークによって制御信号を発信することができる。
【００３３】
本実施形態において、赤外線制御モジュールが設けられた電化製品（図示しない）を制御するように、第１のＢｌｕｅｔｏｏｔｈ赤外線制御モジュール６１及び第２のＢｌｕｅｔｏｏｔｈ赤外線制御モジュール６２はそれぞれ、Ｂｌｕｅｔｏｏｔｈ制御信号を受信して、対応する赤外線制御信号を送信することができる。
【００３４】
本実施形態において、第１の第一型制御装置１１及び第２の第一型制御装置１２はそれぞれ、複数の電源・信号コネクタ１１８−１〜１１８−４、１２８−１〜１２８−４、及び複数のＤＣ−ＤＣ電圧コンバーター１１９−１〜１１９−４、１２９−１〜１２９−４を含む。電源・信号コネクタのそれぞれは、ＤＣ−ＤＣ電圧コンバーターに電気的に接続される。ＤＣ−ＤＣ電圧コンバーターのそれぞれは、DC電圧源（図示しない）に電気的に接続される。本実施形態において、電源・信号コネクタ１１８−１〜１１８−４、１２８−１〜１２８−４は、Ｄ−ｓｕｂのインターフェイスを有している。
【００３５】
本実施形態において、電源・信号コネクタ１１８−１〜１１８−４、１２８−１〜１２８−４のそれぞれは、パルス幅変調信号端子（図示しない）、電源端子（図示しない）、アース端子（図示しない）、過電流保護端子（図示しない）、及びシーケンス制御スイッチ端子（図示しない）を含む。
【００３６】
図３を参照する。本実施形態において、第１の第一型制御装置１１は、４つのＤＣ−ＤＣ電圧コンバーター１１９−１〜１１９−４を含む。第２の第一型制御装置１２は、４つのＤＣ−ＤＣ電圧コンバーター１２９−１〜１２９−４を含む。ＤＣ−ＤＣ電圧コンバーター１１９−１〜１１９−４は、第１の第一型制御装置１１の一方側に配置される。第１のメインチャンネルシーケンス制御モジュール１１１、第１のサーバ端シーケンス制御モジュール１１２、第２のサーバ端シーケンス制御モジュール１１３、及び第３のサーバ端シーケンス制御モジュール１１４は、第１の第一型制御装置１１の他方側に配置される。
【００３７】
同様に、ＤＣ−ＤＣ電圧コンバーター１２９−１〜１２９−４は、第２の第一型制御装置１２の一方側に配置される。第２のメインチャンネルシーケンス制御モジュール１２１、第１のサーバ端シーケンス制御モジュール１２２、第２のサーバ端シーケンス制御モジュール１２３、及び第３のサーバ端シーケンス制御モジュール１２４は、第２の第一型制御装置１２の他方側に配置される。
【００３８】
別の実施形態において、ＤＣ−ＤＣ電圧コンバーター及びシーケンス制御モジュールの設置位置は、実際のニーズに応じて調整することができ、本考案は上記の例に制限されない。
【００３９】
また、本実施形態において、上記複数のシーケンス制御モジュールは、ＲＳ４８５シーケンス制御モジュール、又はＲＳ２３２シーケンス制御モジュールである。
【実施形態による有益な効果】
【００４０】
本実施形態によるクライアントサーバインテリジェント電化製品制御システムでは、第一型制御装置によって主信号の伝送を行うことにより、さらに第二型制御装置についての材料やコストなどを節約することができる。さらに、第一型制御装置のモジュールレイアウトを簡潔な設計としたことにより、クライアントサーバインテリジェント電化製品制御システムの実装に対して、美観性又はデザインの自由さをさらに高めることができる。
【００４１】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００４２】
１：クライアントサーバインテリジェント電化製品制御システム
１１：第１の第一型制御装置
１２：第２の第一型制御装置
１３：第３の第一型制御装置
１４：第４の第一型制御装置
１５：第５の第一型制御装置
７１：第１のセンサー
７２：第２のセンサー
６１：第１のＢｌｕｅｔｏｏｔｈ赤外線制御モジュール
６２：第２のＢｌｕｅｔｏｏｔｈ赤外線制御モジュール
１１１：第１のメインチャンネルシーケンス制御モジュール
１２１：第２のメインチャンネルシーケンス制御モジュール
１３１：第３のメインチャンネルシーケンス制御モジュール
１４１：第４のメインチャンネルシーケンス制御モジュール
１５１：第５のメインチャンネルシーケンス制御モジュール
１１２、１２２、１３２、１４２、１５２、２１１、２２１、２３１、２４１、２５１、２６１、２７１、２８１、２９１：第１のサーバ端シーケンス制御モジュール
１１３、１２３、１３３、１４３、１５３、２１２、２２２、２３２、２４２、２５２、２６２、２７２、２８２、２９２：第２のサーバ端シーケンス制御モジュール
１１４、１２４、１３４、１４４、１５４：第３のサーバ端シーケンス制御モジュール
２：ゲートウェイ装置
９：サーバー
２１：第１の第二型制御装置
２２：第２の第二型制御装置
２３−２９：第３の第二型制御装置〜第９の第二型制御装置
１１０：第１の処理モジュール
１１０−１：第１の汎用非同期送受信要素
１１０−２：第２の汎用非同期送受信要素
１１０−３：第３の汎用非同期送受信要素
１１８−１〜１１８−４、１２８−１〜１２８−４：電源・信号コネクタ
１１９−１〜１１９−４、１２９−１〜１２９−４：ＤＣ−ＤＣ電圧コンバーター
５１：第１の発光ダイオードランプモジュール
５２：第２の発光ダイオードランプモジュール
【図１Ａ】
0003223006.tif 000003
【図１Ｂ】
0003223006.tif 000004
【図１Ｃ】
0003223006.tif 000005
【図２】
0003223006.tif 000006
【図３】
0003223006.tif 000007
【手続補正書】
【提出日】令和1年7月8日(2019.7.8)
【手続補正１】
【補正対象書類名】実用新案登録請求の範囲
【補正対象項目名】全文
【補正方法】変更
【補正の内容】
【実用新案登録請求の範囲】
【請求項１】
第１の処理モジュール、第１のメインチャンネルシーケンス制御モジュール、第１のサーバ端シーケンス制御モジュール、第２のサーバ端シーケンス制御モジュール、及び第３のサーバ端シーケンス制御モジュールを含み、ゲートウェイ装置に接続される第１の第一型制御装置と、
第２の処理モジュール、第２のメインチャンネルシーケンス制御モジュール、第１のサーバ端シーケンス制御モジュール、第２のサーバ端シーケンス制御モジュール、及び第３のサーバ端シーケンス制御モジュールを含み、前記ゲートウェイ装置に接続される第２の第一型制御装置と、を備える
クライアント／サーバインテリジェント電化製品制御システムであって、
前記第１の第一型制御装置における前記第１のメインチャンネルシーケンス制御モジュール、前記第１のサーバ端シーケンス制御モジュール、前記第２のサーバ端シーケンス制御モジュール、及び前記第３のサーバ端シーケンス制御モジュールは、前記第１の処理モジュールに電気的に接続され、
前記第２の第一型制御装置における前記第２のメインチャンネルシーケンス制御モジュール、前記第１のサーバ端シーケンス制御モジュール、前記第２のサーバ端シーケンス制御モジュール、及び前記第３のサーバ端シーケンス制御モジュールは、前記第２の処理モジュールに電気的に接続され、
前記第１の第一型制御装置における前記第２のサーバ端シーケンス制御モジュールは、前記第２の第一型制御装置における前記第１のサーバ端シーケンス制御モジュールに電気的に接続され、
前記第１の第一型制御装置における前記第３のサーバ端シーケンス制御モジュールは、第１のＢｌｕｅｔｏｏｔｈ赤外線制御モジュールに電気的に接続され、前記第２の第一型制御装置における前記第３のサーバ端シーケンス制御モジュールは、第２のＢｌｕｅｔｏｏｔｈ赤外線制御モジュールに電気的に接続され、
前記第１のＢｌｕｅｔｏｏｔｈ赤外線制御モジュールから送信された第１の制御信号は、前記第１の第一型制御装置における前記第３のサーバ端シーケンス制御モジュール及び前記第１のメインチャンネルシーケンス制御モジュールを通して、前記ゲートウェイ装置に伝送され、
前記第２のＢｌｕｅｔｏｏｔｈ赤外線制御モジュールから送信された第２の制御信号は、前記第２の第一型制御装置における前記第３のサーバ端シーケンス制御モジュール及び前記第２のメインチャンネルシーケンス制御モジュールを通して、前記ゲートウェイ装置に伝送される、ことを特徴とする、クライアント／サーバインテリジェント電化製品制御システム。
【請求項２】
前記第１の処理モジュールは、第１の汎用非同期送受信要素によって前記第１のメインチャンネルシーケンス制御モジュールに電気的に接続され、前記第１の処理モジュールは、第２の汎用非同期送受信要素によって前記第１のサーバ端シーケンス制御モジュール及び前記第２のサーバ端シーケンス制御モジュールに電気的に接続され、前記第１の処理モジュールは、第３の汎用非同期送受信要素によって前記第３のサーバ端シーケンス制御モジュールに電気的に接続される、請求項１に記載のクライアントサーバインテリジェント電化製品制御システム。
【請求項３】
前記クライアントサーバインテリジェント電化製品制御システムは、
第１のサーバ端処理モジュール、第１のサーバ端シーケンス制御モジュール、及び第２のサーバ端シーケンス制御モジュールを含む第１の第二型制御装置と、
第２のサーバ端処理モジュール、第１のサーバ端シーケンス制御モジュール、及び第２のサーバ端シーケンス制御モジュールを含む第２の第二型制御装置と、をさらに備え、
前記第１の第二型制御装置における前記第１のサーバ端シーケンス制御モジュール及び前記第２のサーバ端シーケンス制御モジュールは、前記第１の第二型制御装置における前記第１のサーバ端処理モジュールに電気的に接続され、前記第１の第二型制御装置における前記第１のサーバ端シーケンス制御モジュールは、前記第１のメインチャンネルシーケンス制御モジュールに電気的に接続され、
前記第２の第二型制御装置における前記第１のサーバ端シーケンス制御モジュール及び前記第２のサーバ端シーケンス制御モジュールは、前記第２の第二型制御装置における前記第２のサーバ端処理モジュールに電気的に接続され、前記第１の第二型制御装置における前記第１のサーバ端シーケンス制御モジュールは、前記第２のメインチャンネルシーケンス制御モジュールに電気的に接続され、
前記第１の第二型制御装置における前記第１のサーバ端シーケンス制御モジュール及び前記第２のサーバ端シーケンス制御モジュールはそれぞれ複数の第１の発光ダイオードランプモジュールに電気的に接続され、
前記第２の第二型制御装置における前記第１のサーバ端シーケンス制御モジュール及び前記第２のサーバ端シーケンス制御モジュールはそれぞれ複数の第２の発光ダイオードランプモジュールに電気的に接続される、請求項１に記載のクライアントサーバインテリジェント電化製品制御システム。
【請求項４】
前記第１の第一型制御装置における前記第３のサーバ端シーケンス制御モジュールは、少なくとも１つの第１のセンサーと電気的に接続され、前記第２の第一型制御装置における前記第３のサーバ端シーケンス制御モジュールは、少なくとも１つの第２のセンサーと電気的に接続される、請求項１に記載のクライアントサーバインテリジェント電化製品制御システム。
【請求項５】
前記第１の第一型制御装置及び前記第２の第一型制御装置はそれぞれ、複数の電源・信号コネクタを含み、電源・信号コネクタのそれぞれは、電源と電気的に接続される、請求項１に記載のクライアントサーバインテリジェント電化製品制御システム。
【請求項６】
前記電源・信号コネクタのそれぞれは、パルス幅変調信号端子、電源端子、アース端子、過電流保護端子、及びシーケンス制御スイッチ端子を含む、請求項５に記載のクライアントサーバインテリジェント電化製品制御システム。